(57)【要約】【課題】より環境に対する意識を高めて行動を促すことが可能なインターフェイス装置を提供する。【解決手段】室内環境を検知可能な室内側環境計測手段１２と、室外環境を検知可能な室外側環境計測手段１１と、室内側における人を検知可能な人感手段１３と、電気、ガス、及び水道等のエネルギーの使用状況を監視するエネルギー監視手段１４と、室内側環境計測手段、室外側環境計測手段、及び人感手段によって検知された情報に基づいて、室内環境の最適化のための条件を演算し、その結果を報知可能とする最適制御演算手段２２と、エネルギー監視手段からの情報に基づいてエネルギーの使用状況に関する演算をし、その結果を報知可能とする報知内容決定手段２２と、最適制御演算手段及び報知内容決定手段からの結果の内容を、光、音、映像、及び動作の少なくとも１つで報知する報知機器３０と、を備える。【選択図】図１
2013050906.tif 000002
【特許請求の範囲】
【請求項１】
室内環境を検知可能な室内側環境計測手段と、
室外環境を検知可能な室外側環境計測手段と、
室内側における人を検知可能な人感手段と、
電気、ガス、及び水道等のエネルギーの使用状況を監視するエネルギー監視手段と、
前記室内側環境計測手段、前記室外側環境計測手段、及び前記人感手段によって検知された情報に基づいて、室内環境の最適化のための条件を演算し、その結果を報知可能とする最適制御演算手段と、
前記エネルギー監視手段からの情報に基づいて前記エネルギーの使用状況に関する演算をし、その結果を報知可能とする報知内容決定手段と、
前記最適制御演算手段及び前記報知内容決定手段からの前記結果の内容を、光、音、映像、及び動作の少なくとも１つで報知する報知機器と、を備える
インターフェイス装置。
【請求項２】
前記人感手段は、人を区別して認識可能とされており、前記報知内容決定手段は、前記区別された人に基づいて報知内容を演算することを特徴とする請求項１に記載のインターフェイス装置。
【請求項３】
室内環境、及び室外環境を計測し、室内側における人を検知し、電気、ガス、及び水道等のエネルギーの使用状況を監視するとともに、
計測された前記室内環境、前記室外環境、及び人の情報に基づいて、室内環境の最適化のための条件を演算し、
監視した前記エネルギーの使用状況に関する演算をし、
演算された前記室内環境、及びエネルギ−の使用状況を、光、音、映像、及び動作の少なくとも１つで報知する、行動を促す報知方法。
【発明の詳細な説明】
【技術分野】
【０００１】
本発明は、居住者に対して環境負荷を意識した行動を促すことを可能とするインターフェイス装置、及び行動を促す報知方法に関する。
【背景技術】
【０００２】
近年において地球温暖化に代表される環境問題の意識が高まり、各分野において環境負荷を考慮した技術が開発されている。住宅等の分野においても同様であり、住宅に設置される個々の機器において省エネルギー製品がその多くを占めている。
【０００３】
また、建物の開口部に備えられるシャッターや窓等の建具も近年では電動で開閉させることができるものが多く、エアコンをできるだけ使用しないように室内環境を制御するに際して、当該建具を自動に電動で開閉させることが行われる。
【０００４】
ところが、当然、電動化されていない建具については自動制御することはできなかった。これに対して特許文献１には、自動制御に頼ることなく、居住者が自らの手で体感しながら室内快適環境を形成するための住宅内環境ナビゲーションシステムが開示されている。これによれば、環境を計測する手段と、設備等を監視する手段からの情報に基づいて、最適環境を提案する手段により演算された結果が表示手段により表示されることにより、居住者が主体的にその表示に基づいて行動するというものである。
【先行技術文献】
【特許文献】
【０００５】
【特許文献１】特開２００６−３００４２８号公報
【発明の概要】
【発明が解決しようとする課題】
【０００６】
しかしながら、特許文献１に記載の発明では、演算された結果としての最適環境が示されるのみであり、その通りの行動が示唆されるものの、その効果やエネルギーの使用状況について居住者に提供することがなかった。従って、居住者の環境意識を高め、さらに積極的な行動へと誘導することが求められていた。
【０００７】
そこで本発明は、上記の点に鑑み、より環境に対する意識を高めて行動を促すことが可能なインターフェイス装置を提供することを課題とする。また、このように行動を促すことができる報知方法を提供する。
【課題を解決するための手段】
【０００８】
以下、本発明について説明する。ここでは分かり易さのため、図面に付した参照符号を括弧書きで併せて記載するが、本発明はこれに限定されるものではない。
【０００９】
請求項１に記載の発明は、室内環境を検知可能な室内側環境計測手段（１２）と、室外環境を検知可能な室外側環境計測手段（１１）と、室内側における人を検知可能な人感手段（１３）と、電気、ガス、及び水道等のエネルギーの使用状況を監視するエネルギー監視手段（１６）と、室内側環境計測手段、室外側環境計測手段、及び人感手段によって検知された情報に基づいて、室内環境の最適化のための条件を演算し、その結果を報知可能とする最適制御演算手段（２２）と、エネルギー監視手段からの情報に基づいてエネルギーの使用状況に関する演算をし、その結果を報知可能とする報知内容決定手段（２２）と、最適制御演算手段及び報知内容決定手段からの結果の内容を、光、音、映像、及び動作の少なくとも１つで報知する報知機器（３０）と、を備えるインターフェイス装置（１）である。
【００１０】
請求項２に記載の発明は、請求項１に記載のインターフェイス装置（１）において、人感手段（１３）は、人を区別して認識可能とされており、報知内容決定手段（２２）は、区別された人に基づいて報知内容を演算することを特徴とする。
【００１１】
請求項３に記載の発明は、室内環境、及び室外環境を計測し、室内側における人を検知し、電気、ガス、及び水道等のエネルギーの使用状況を監視するとともに、計測された室内環境、室外環境、及び人の情報に基づいて、室内環境の最適化のための条件を演算（Ｓ３６）し、監視したエネルギーの使用状況に関する演算をし（Ｓ３８）、演算された室内環境、及びエネルギ−の使用状況を、光、音、映像、及び動作の少なくとも１つで報知する（Ｓ５０）、行動を促す報知方法（Ｓ１）である。
【発明の効果】
【００１２】
本発明によれば、実際の行動が結果等として居住者に報知されるので、より環境に対する意識を高めさせ、行動を促すことができる。
【図面の簡単な説明】
【００１３】
【図１】１つの実施形態にかかるインターフェイス装置を採用した住宅を模式的示した図である。
【図２】インターフェイス装置のブロック図である。
【図３】１つの実施形態にかかる行動を促す報知方法の流れを示した図である。
【図４】過程Ｓ１０の流れを示した図である。
【図５】過程Ｓ２０の流れを示した図である。
【図６】過程Ｓ３０の流れを示した図である。
【図７】過程Ｓ４０の流れを示した図である。
【図８】過程Ｓ５０の流れを示した図である。
【発明を実施するための形態】
【００１４】
本発明の上記した作用及び利得は、次に説明する発明を実施するための形態から明らかにされる。以下、本発明を図面に示す実施形態に基づき説明する。ただし本発明はこれら実施形態に限定されるものではない。
【００１５】
図１は、１つの実施形態にかかるインターフェイス装置１０を採用した住宅１を模式的示した図である。例示した住宅１は一般的な２階建て住宅を想定している。住宅１には、インターフェイス装置１０の他、窓やシャッター等の建具２、冷蔵庫等の家電３、電気、ガス、水道等のエネルギーの使用量を計量する装置４が具備されている。ここで、建具２は必ずしも電動化されている必要はなく、家電３も必ずしも他の機器との通信機能を備えている必要はない。
【００１６】
インターフェイス装置１０は、室外側環境計測手段１１、室内側環境計測手段１２、人感手段１３、建具監視手段１４、電気設備監視手段１５、エネルギー監視手段１６、操作手段１７、情報処理手段２０、及び報知機器３０を備えている。図２にはインターフェイス装置１０の構成をブロック図で示した。
【００１７】
室外側環境計測手段１１は、住宅１の室外側に配置され、室外側の環境情報を取得する手段である。これには例えば、室外側温度、室外側湿度、日射照度、気圧、風量、風向、降雨を検知するセンサが含まれることが好ましい。また、室外側環境計測手段１１に含まれる各センサは適所に複数設けられることが好ましい。これによりさらに各種判断の精度を上げることができる。
室外側環境計測手段１１に用いられるセンサの種類は特に限定されることはなく、公知のものでよい。
【００１８】
室内側環境計測手段１２は、住宅１の室内側に配置され、室内側の環境情報を取得する手段である。これには例えば、室内側温度、室内側湿度、照明照度、気流、匂い、ほこりを検知するセンサが含まれることが好ましい。また、室内側環境計測手段１２に含まれる各センサは適所に複数設けられることが好ましい。これによりさらに各種判断の精度を上げることができる。
室内側環境計測手段１２に用いられるセンサの種類は特に限定されることはなく、公知のものでよい。
【００１９】
人感手段１３は、住宅１の室内側に配置され、住宅１内に人が存在するか否かを検知する手段である。さらに、人感手段１３は、住宅１の居住者であるか否か、大人か子供か、男女の別等、人を区別することが可能なものであることが好ましい。これによりその人物に適した報知をすることが可能となる。人感手段としては、人感センサとして赤外線によるもの、超音波によるもの、可視光によるもの等多くの種類があるが特に限定されることなく、公知のものを適用することができる。
【００２０】
建具監視手段１４は、住宅１に備えられる建具２の作動状況を監視する手段である。建具２としては特に限定されるものではないが、例えば窓、シャッター、ブラインド、等を挙げることができる。また、作動状況は例えば建具の開閉状態、開閉の程度等を挙げることができる。
建具監視手段１４は、電動化されている建具についてはその電動化手段が兼用することができる。一方、電動化されていない建具については、建具に対してその作動状況を監視可能なセンサを取り付ければよい。これには例えば、事後的に取り付けすることができるセンサを挙げることができる。窓の開閉を確認するマグネットセンサや、鍵の施錠を確認するクレセントセンサ等がこれに相当する。これにより、建具を新たに電動化する必要がなく簡易にインターフェイス装置１０を適用することができる。
【００２１】
電気設備監視手段１５は、住宅１に備えられる家電３等の電気設備の作動状況を監視する手段である。電気設備としては特に限定されるものではないが、例えば冷蔵庫、エアコン、照明等を挙げることができる。また、作動状況は例えば冷蔵庫であれば扉の開閉、エアコンであればＯＮ／ＯＦＦ、照明であれば点灯・消灯等である。
電気設備監視手段１５は、他の機器と通信する機能を有していればその機能を用いて兼用することができる。一方、そのような機能を有していない場合には、その作動状況を監視可能なセンサを取り付ければよい。これには例えば当該電気設備の電力使用状況を監視するセンサを挙げることができる。これにより、既存の電気設備をそのまま使用し続けることができ、簡易にインターフェイス装置１０を適用することができる。
【００２２】
エネルギー監視手段１６は、電気、ガス、水道等のエネルギーの使用状況を監視する手段である。これはそれぞれの配管又は配線にその使用量を計測する機器を取り付けることにより可能である。
【００２３】
操作手段１７は、住宅１の室内側に配置され、利用者の操作に供される機器である。利用者は操作手段１７に備えられる各種選択キー等を選択することにより、利用者の意思をエネルギー監視手段１０に反映させることができる。
このような操作手段１７は、リモコン式や据え付け式等の種類が可能であるが、特に限定されるものでなく、公知のものを適用することができ、その形式は特に限定されるものではない。
【００２４】
情報処理手段２０は、室外側環境計測手段１１、室内側環境計測手段１２、人感手段１３、建具監視手段１４、電気設備監視手段１５、エネルギー監視手段１６、操作手段１７から情報を取得し、最適制御演算、及び報知内容を決定するとともに、その結果を報知機器３０に出力する機器である。
【００２５】
情報処理手段２０は、受信手段２１、中央演算子２２、記憶手段２３、ＲＡＭ２４、日時情報提供手段２５、及び送信手段２６を有して構成されている。
【００２６】
受信手段２１は、上記した室外側環境計測手段１１、室内側環境計測手段１２、人感手段１３、建具監視手段１４、電気設備監視手段１５、エネルギー監視手段１６、操作手段１７からの情報を適切に取り入れる機能を有する部材であり、これらの手段が接続される。いわゆる入力ポート、入力コネクタ等もこれに含まれる。
【００２７】
中央演算子２２はいわゆるＣＰＵであり、最適制御演算手段、及び報知内容決定手段として機能する。従って後述する各種演算はこの中央演算子１７でおこなわれる。また、中央演算子１７は、その他にも情報処理手段２０に含まれる各部材に接続されて、これらを制御することができるように構成されている。すなわち、中央演算子２２は、記憶媒体として機能する記憶手段２３に記憶された各種プログラムを実行し、これに基づいて最適制御演算や報知内容を決定するために演算をおこなう。具体的には後で詳しく説明する。
【００２８】
記憶手段２３は、最適制御を演算する、報知内容を決定するに際して根拠となる各種プログラムやデータが保存される記憶媒体として機能する部材である。また記憶手段２３には、プログラムの実行により得られた中間、最終の各種結果を保存することができてもよい。
【００２９】
ＲＡＭ２４は、中央演算子２２による演算の作業領域や一時的なデータの記憶手段として機能する部材である。ＲＡＭ２４は、ＳＲＡＭ、ＤＲＡＭ、フラッシュメモリ等で構成することができ、公知のＲＡＭと同様である。
【００３０】
日時情報提供手段２５は、常に日時をカウントしておき、中央演算子２２からの要求に応じて日時情報を提供する。
【００３１】
送信手段２６は、得られた結果のうち報知機器３０の対して出力すべき情報を適切に出力する機能を有する部材であり、報知機器３０が接続される。いわゆる出力ポート、出力コネクタ等もこれに含まれる。
【００３２】
このような情報処理手段２０を形成する具体的な態様の例としては、制御基板を挙げることができる。制御基板に備えられる受信手段及び送信手段を情報処理手段２０の受信手段２１及び送信手段２６として用い、制御基板に備えられる記憶装置を記憶手段２３として最適化制御のプログラム、報知内容決定のプログラム、報知される音声データ及びその他必要なプログラム等を記憶させておくことができる。そして各種演算や制御、指令は制御基板に備えられる中央演算子（ＣＰＵ）が中央演算子２２として機能し、記憶手段２３に記憶された各種プログラムを実行することによりおこなわれる。
【００３３】
報知機器３０は、住居者に報知内容を実際に報知する機器である。報知機器３０は、受信手段３１と報知手段３２とを備えている。
受信手段３１は情報処理手段２０からの情報を受信し、報知手段３２へと伝送する手段であり、いわゆる入力ポート、入力コネクタ等である。
【００３４】
報知手段３２は、具体的に居住者に報知する手段である。報知する方法によってその手段も異なり、適宜設定することができる。例えば音声や音による報知であれば報知手段はスピーカーであり、光による報知であれば電灯、映像や画像による報知であれば映像表示装置となる。
もちろん、これらのいずれかに限定する必要はなく、これらを複合的に備えた装置により報知がおこなわれてもよい。例えば上記した複数の報知手段を備えた小型の人を模した形態のロボットを用いて報知してもよい。ロボットを用いれば、該ロボットの動作自体も報知手段の１つとなる。
【００３５】
以上のように構成されるインターフェイス装置１０によれば、環境負荷を考慮した具体的な行動を促したり、電動化されていない建具に対して電動化することなく適切な開閉の行動を促したり、環境的な知識、教育をおこなったりすることができる。すなわち、住環境をより良いものとするための提案、行動の誘導、教育等をおこなう装置を比較的簡易に構成することが可能である。より具体的な詳しい内容は以下の報知方法Ｓ１で説明する。
【００３６】
次に、居住者等に対して上記のように行動を促すための報知をする方法の１例である、インターフェイス装置１０によりおこなう行動を促す報知方法Ｓ１（以下、「報知方法Ｓ１」と記載することがある。）について説明する。ここではわかりやすさのためインターフェイス装置１０を用いた例を説明するが、本発明はこれに限定されるものではなく、以下の趣旨を含む方法を可能とするものであれば他の構成を備えるインターフェイス装置によるものであってもよい。
【００３７】
図３には、報知方法Ｓ１の流れを示した。図３からわかるように、報知方法Ｓ１は、過程Ｓ１０、Ｓ２０、Ｓ３０、Ｓ４０、Ｓ５０を含んでいる。報知方法Ｓ１では、電源が入れられるとその動作を開始し、過程Ｓ１０、Ｓ２０、Ｓ３０、Ｓ４０、Ｓ５０を繰り返しおこなうことにより、自動に情報を取得し、必要に応じて報知をおこなう。以下各過程について詳しく説明する。
【００３８】
過程Ｓ１０は、人感手段１３の情報を取得し、住宅内の人の有無に関する情報を管理する過程である。図４に過程Ｓ１０の流れを示した。過程Ｓ１０では、初めに過程Ｓ１１で人感手段１３から情報を取得する。そして過程Ｓ１１からの情報に基づいて過程Ｓ１２で人が住宅１内に存在しているかを確認する。ここで人の存在を確認し、「Ｙ」が選択されると、過程Ｓ１５により滞在している旨の記録がされ、過程Ｓ１６で滞在時間が加算される。
【００３９】
一方、過程Ｓ１２で人の存在が検知されないと「Ｎ」が選択されて過程Ｓ１３に進む。過程Ｓ１３では、人の不存在の状態が予め決めておいた時間以上経過しているかについて判断される。これは短時間の不存在（例えばトイレのため数分の不存在）を不存在状態として取り扱わないことが考慮されたものである。従って、過程Ｓ１３で規定された時間を経過していると「Ｙ」が選択され、不存在である旨の記録がされる。一方、過程Ｓ１３で規定時間が経過していないと判断されると「Ｎ」が選択され、過程Ｓ１７で不在時間が加算される。
【００４０】
過程Ｓ１０では人感手段１３から情報を取得し、上記した処理をすることにより終了され、過程Ｓ２０へ進む。過程Ｓ１０で得られた結果は情報処理手段２０の記憶手段２３やＲＡＭ２４に記憶される。
【００４１】
また、図４の流れに含めていないが、当該人感手段による情報を取得した際には、検知された者の居住者の別、人物の特定、男女の別、大人子供の別等、人の区別の情報も取得することが好ましい。これにより報知の種類や内容をより適切で詳細なものにすることができる。このような情報を取得することにより、現在誰が室内のどこにいるのかを把握することができ、誰が室内設備を操作したのかも認識することが可能となる。
このような情報も記憶手段２３やＲＡＭ２４に記憶され、後でデータとして利用することができる。
【００４２】
過程Ｓ２０は、室外側環境計測手段１１、室内側環境計測手段１２からの情報を取得し、前回の情報取得からの変化を記録する過程である。図５に過程Ｓ２０の流れを示した。過程Ｓ２０では、最初に過程Ｓ２１で、室外側環境計測手段１１及び室内側環境計測手段１２から温度や湿度等の環境情報を取得する。次に、過程Ｓ２２で、過程Ｓ２１において取得した情報が、その前に取得したデータに対して変化があるか否かを判断する。変化が無いと判断されたときには「Ｎ」が選択され、過程Ｓ２３でその旨の記録がされ過程Ｓ２０を終了する。
【００４３】
一方、過程Ｓ２２で、変化があると判断されたときには「Ｙ」が選択され、過程Ｓ２４でその変化量が記録される。その後過程Ｓ２０を終了する。
【００４４】
過程Ｓ２０でされた記録は情報処理手段２０の記憶手段２３やＲＡＭ２４に記憶される。
【００４５】
過程Ｓ３０は、過程Ｓ１０、過程Ｓ２０で検知した情報、及びその他の情報に基づいて、室内環境を快適とするための演算を行い、特に建具２がどのようにな状態になればよいかを決定する。さらに、過程Ｓ３０では、その他備えられている監視手段（１４、１５、１６）からの情報に基づいて報知する情報を演算して候補を挙げる。図６に過程Ｓ３０の流れを示した。
【００４６】
過程Ｓ３０では、初めに過程Ｓ３１で、過程Ｓ１０で取得しておいた人感手段１３の情報を呼び出す。次に過程Ｓ３２で、過程Ｓ２０で取得しておいた室外側環境計測手段１１及び室内側環境計測手段１２の情報を呼び出す。さらに過程Ｓ３２では、その他、建具監視手段１４、電気設備監視手段１５、エネルギー監視手段１６からその情報を取得する。過程Ｓ３３では建具２の仕様、過程Ｓ３４では住宅１の間取り情報をそれぞれ呼び出す。建具２の仕様、及び住宅１の間取り情報は予め情報処理手段２０の記憶手段２３にデータとして記憶しておき、ここから読み込むことにより行えばよい。
【００４７】
次に過程Ｓ３５では、最適制御の演算に際して必要となる実験データや参照テーブル等を呼び出す。このような各種データは予め実験や文献等により得て、これを情報処理手段２０の記憶手段２３に記憶しておき、ここから読み込むことにより行えばよい。
【００４８】
そして、上記した過程Ｓ３１〜過程Ｓ３５で取得した各種データに基づいて、過程Ｓ３６で最適制御の演算をおこなう。この演算は、外気冷房の可否、通風の可否、及び遮光の効果、空調設備使用の必要性等の観点から、複数の電動建具の開閉の度合いを含めておこなわれる。
ここで「外気冷房」とは、外気により室内の温度を下げることを意味する。また、「通風」とは、主に窓の開放により室内に一定以上の気流を発生させることである。
【００４９】
当該演算により、上記観点から複数の建具のそれぞれについてその開閉の度合いが考慮された最適状態が決定され、最適である複数の建具の状態の組み合わせが結果として出力される。
【００５０】
そして過程Ｓ３６による演算結果が最適状態として過程Ｓ３７で出力される。上記した演算は情報処理手段２０の中央演算子２２でおこなわれ、その結果は情報処理手段２０の記憶手段２３やＲＡＭ２４に記憶される。
【００５１】
過程Ｓ３８では、上記した建具における室内環境最適化に関する演算とはただちには関連しない事項であるが、居住者に報知すべき事項についてその報知内容を演算して選択する過程である。過程Ｓ３８では、過程Ｓ３２で取得した建具監視手段１４、電気設備監視手段１５、エネルギー監視手段１６からの情報、及び情報処理手段２０に含まれる日時情報２５に基づいて、居住者に報知するべき事項を演算する。
【００５２】
報知するべき内容は特に限定されることはないが、例えば、降雨情報、電気設備の利用状況、定期的なエネルギー利用情報、前回との比較情報等を挙げることができる。これらは建具による室内側快適環境最適化とは直接関連はしないが、環境問題に対する意識向上や環境教育に役立てることができる。
ここで過程Ｓ３１において人感手段による情報の中に、人物を特定する情報等が含まれていた場合には、これも演算の要素として考慮することができ、報知すべき内容や内容の難易度を選択することが可能である。
このような演算は情報処理手段２０の中央演算子２２でおこなわれ、その結果は情報処理手段２０の記憶手段２３やＲＡＭ２４に記憶される。
【００５３】
過程Ｓ３８により過程Ｓ３０は終了する。
【００５４】
過程Ｓ４０は、過程Ｓ３０により出力された最適状態の出力結果を受け、実際に各種の設定をする過程である。図７に過程Ｓ４０の流れを示した。
【００５５】
過程Ｓ４０では、最初に過程Ｓ４１で過程Ｓ３０の過程Ｓ３７において出力された最適状態を呼び出す。この呼び出しは情報処理手段２０の記憶手段２３やＲＡＭ２４にされてあった記録からおこなえばよい。
【００５６】
次に過程Ｓ４２で、すぐに実行すべき事項であるかを判断する。例えば窓の開閉は、すぐに実行すべき事項である。一方、今後気をつけるべきこと等、必ずしもすぐに何かを実行する必要はないこともある。例えば１週間の電力データに基づいて日々の電力削減方法を報知することについては必ずしもすぐに実行すべき事項ではない。
過程Ｓ４２ですぐに実行すべき事項であると判断されれば「Ｙ」が選択され、過程Ｓ４２１でそのための設定である「短期推奨内容設定」がおこなわれる。一方、必ずしもすぐに実行すべき事項ではないと判断されれば「Ｎ」が選択され、過程Ｓ４２２でそのための設定である「長期推奨内容設定」がおこなわれる。
【００５７】
過程Ｓ４３では電動建具であるか否かについて判断する。電動の建具であれば「Ｙ」が選択され、過程Ｓ４３２で演算した結果としての最適状態となるような推奨内容が設定される。一方、電動の建具でなければ「Ｎ」が選択され、過程Ｓ４３１で推奨内容が設定される。その後、過程Ｓ４４に進む。
【００５８】
過程Ｓ４４では電動化されていない機器のセンサの有無について判断される。ここで電動化されていない機器のセンサの有無が判断され、「Ｎ」、「Ｙ」の判断に基づいてそれぞれ過程Ｓ４４１、又は過程Ｓ４４２で推奨内容が設定される。
【００５９】
過程Ｓ４０で決められた各設定は、情報処理手段２０の記憶手段２３やＲＡＭ２４に記憶される。
【００６０】
過程Ｓ５０は、ヒューマンインターフェイス、すなわち実際に居住者等に報知をおこなう過程である。図８に過程Ｓ５０の流れを示した。
【００６１】
過程Ｓ５０では最初に過程Ｓ５１で人の認識をおこなう。人の認識は過程Ｓ１０で得た情報に基づく。この際に人の在・不在のみでなく人物や男女の別、大人子供の別、居場所も認識していればこの情報も読み取られる。
【００６２】
過程Ｓ５２では過程Ｓ４０で設定した推奨内容を読み込む。また過程Ｓ５３では過程Ｓ３８でした演算して決定された報知内容を読み込む。これらは情報処理手段２０の記憶手段２３やＲＡＭ２４から読み込まれる。
【００６３】
過程Ｓ５４では、過程Ｓ５１〜過程Ｓ５３からの情報に基づいて、どのように報知するかを選択する過程である。報知方法としては上記したように音（音声を含む）、光、映像、ロボット動作等を挙げることができる。報知方法の選択は報知すべき内容に基づいて決められることが好ましい。例えば激しい雨が降ってきたことを報知する場合には、洗濯物や窓の閉鎖を急いで行う必要があるので、光、音、映像、ロボット動作等を同時に作動させることが考えられる。
【００６４】
そして過程Ｓ５５では、過程Ｓ５４で決められた報知方法に基づいて実際に報知が行われ、過程Ｓ５０が終了する。
【００６５】
以上のような報知方法Ｓ１によれば、居住空間の最適化状態を居住者に報知することができ、電動化されていない建具があってもその開閉を促すことができる。そしてその結果環境負荷を抑制した居住空間を実現することが可能となる。
【００６６】
さらには、省エネルギー等に関する各種の情報を居住者個別の行動に関連づけて報知したり、定期的に省エネルギーに対する取り組みの効果を報知することとすれば、居住者の環境に対する意識の高まりをもらたすことができる。
【００６７】
例えば、子供が冷蔵庫を何度も開け閉めしていることを電気設備監視手段１５で検知すれば、子供に対して「冷蔵庫を開けてると電気を多く消費するので１回ですませようね。」という旨の報知をし、 環境知識、教育も兼ねて行動を促すことができる。
また、他の例として、エネルギー監視手段１６により記録された電気使用量に基づき、
先月、先週、昨日と比較して電気使用量が増えたら定期的に「今月の電力使用料が先月よりも１０％増えます。」、「１番増えているのは、キッチン家電です。」、「夕飯の支度を３０分遅らせる事で電気代が節約できます。」等と通知し行動を促すことができる。
すなわち、居住者個別の行動に対して行動を促すような報知をすることが可能となる。
【符号の説明】
【００６８】
１  住宅
２  建具
３  家電
４  使用量計
１０  インターフェイス装置
１１  室外側環境計測手段
１２  室内側環境計測手段
１３  人感手段
１４  建具監視手段
１５  電気設備監視手段
１６  エネルギー監視手段
１７  操作手段
２０  情報処理手段
３０  報知機器
【図１】
2013050906.tif 000003
【図２】
2013050906.tif 000004
【図３】
2013050906.tif 000005
【図４】
2013050906.tif 000006
【図５】
2013050906.tif 000007
【図６】
2013050906.tif 000008
【図７】
2013050906.tif 000009
【図８】
2013050906.tif 000010